(57)【特許請求の範囲】
【請求項１】
頭被覆部・胴体被覆部・腕被覆部・手を被覆する手袋・脚被覆部、足を被覆する靴が一体につながった、人体の全部を気密に被覆する化学防護服において、頭被覆部の顔面対向部又は顔面対向部とそれに続く左右両側部を透明材からなる透視窓２とすると共に、頭被覆部の上側前方部に透明材からなる補助透視窓３を設けた構造であって、肩部から肘部にかけての部分および腰部の左右側部に、それぞれ、伸縮性バンドをその両端部において取付けることにより、各部のだぶつきを除去または低減するようにしたことを特徴とする化学防護服。
【請求項２】
化学防護服の腰部を着用者の腰に固定する腰ベルトを左右に二分し、化学防護服の腰部背側中央部をさけ左右に各別に取付けたことを特徴とする、請求項１に記載の化学防護服。
【発明の詳細な説明】
【０００１】
【産業上の利用分野】
本発明は、化学防護服に関する。
【０００２】
【従来の技術】
頭被覆部・胴体被覆部・腕被覆部・脚被覆部、足被覆部が一体につながり、人体の全体を気密に被覆し、毒ガスその他の有害化学剤から人体を防護する化学防護服は従来公知である。
【０００３】
【発明が解決しようとする課題】
通常、このような化学防護服は、作業者１人に対し１着ずつ用意しておくことは少なく１着を数人で共用することが多いため、また、この種の化学防護服の着用に際しては、呼吸保護マスクと該マスクに呼吸用空気を供給する空気ボンベからなる自給式呼吸装置を装着するため、マスクから化学防護服内に放出される呼気のために化学防護服が外方に膨らむために、その着用時にかなりのだぶつきを生じ、従って、この種の化学防護服を着用しての行動・作業にかなりの制約を受けるという欠点がある。
【０００４】
また、頭被覆部の前面に設けた透視窓が小さく、そして、そのだぶつきのため頭被覆部が着用者の頭の動きに追従しにくいことのために、着用者は足元・上方及び左右方向を十分に見ることができず、その結果、行動・作業中に、階段で転んだり、頭をぶつけたりして、怪我をし易いという欠点がある。
【０００５】
また、従来公知の化学防護服は、その腰部背側を通して延びる１本の腰ベルトで腰部を着用者の腰に固定するようになっているため、背中に背負った空気ボンベにその下端から下方に突出するハンガー（空気ボンベを吊下げ保管するためのハンガー）があった場合、腰ベルトが背側でハンガーと干渉し腰ベルトを効果的に利用できないという欠点がある。
【０００６】
また、通常、化学防護服では、手袋を交換可能とするために、腕被覆部の袖口部に手袋が取外し可能に結合されているが、その結合に硬質リングが用いられているため手首部がかなりルーズで、その着用中に手袋から手が抜け出してしまうという欠点がある。
【０００７】
本発明は、前記欠点を改善し、着用者がより容易により安全に行動又は作業をすることのできる化学防護服を得ることにある。
【０００８】
【課題を解決するための手段】
頭被覆部の顔面対向部又は顔面対向部とそれに続く左右両側部と、頭被覆部の上方部の前方部又は全部を板状又はシート状の透明材で構成した。
【０００９】
化学防護服の、肩部から肘部にかけての内側および左右腰部の内側に、それぞれゴム・ポリウレタンなどからなる伸縮性バンドを伸長状態で取付け、その着用時における、だぶつきを除去または低減するようにすると共に、化学防護服の腰部を着用者の腰に固定する腰ベルトを、化学防護服の腰部背側中央部をさけ左右に各別に取付けた一対のベルトにより構成した。袖口部に手首締付けベルトを取付けた。
【００１０】
【実施例】
図１は本発明に係る化学防護服の一実施例の正面図、図２は同右側面図、図３は同上面図である。図中、１は気密性・耐薬品性を有する適宜の生地を裁断結合してなる化学防護服である。２は、頭被覆部の顔面に対向するほぼ全部及びそれに続く左右側面部を構成する、透明合成樹脂材等からなる透視窓、３は頭被覆部の上面の前方部に設けた透明合成樹脂材等からなる補助透視窓、４は着用者の身体の大きさ及び身体の動きに応じてだぶつきを除去低減するために化学防護服の肩部から肘部にかけての内側に伸長状態で取付けた伸縮性バンド、５は化学防護服の腰部のだぶつきを除去低減するために腰部の左右の内側に伸長状態で取付けた伸縮性バンドである。各伸縮性バンドは、ゴム・ポリウレタンなどからなり、それぞれ、その両端部を化学防護服本体の内面に接着などの手段により取付けられている。６は化学防護服の腰部を着用者の腰部に固定するためにその内側に取付けた腰ベルトである。腰ベルト６は、化学防護服の背側中央部を避けて化学防護服の左右内側に各別に取付けた一対のベルトからなっている。図示実施例においては、左右の各腰ベルトは、それぞれその後端においてのみ化学防護服本体に取付けられているが、化学防護服内面の適所にベルトを挿通支持するベルト支持片を設けベルトを支持させるようにしてもよい。７は袖口部外側に取外し不可能に又は取外し可能に取付けた手首締付けベルト、８は膝部補強用の膝当て、９は足部を被覆する安全長靴、１０は手袋、１１は右大腿部から首部右側を通って頭被覆部の上面に延びる化学防護服の着脱用の開口を気密に閉鎖する気密スライドファスナー、１２は排気弁である。
【００１１】
図４は、化学防護服本体と腰ベルト６との関係構造を示す図１のＩＶーＩＶ線切断部端面図である。図中、１３はバックル、１４は腰ベルトの長さ調節具である。
図５は図１のＶーＶ線切断部端面図である。透視窓２及び補助透視窓３は、それぞれ、間隔をおいて位置する内外２枚の透明合成樹脂板２１・２２及び３１・３２からなっている。１５は呼吸用の空気ボンベ収納部である。
【００１２】
図６は腕被覆部の袖口と手袋の結合構造を示す要部切断説明図である。手袋は、その手首部内側にはめ入れた合成樹脂などからなる硬質リング１６と、内側に折曲げて手袋の手首部の外面に添接した袖口１７を硬質リング１６の外周面に向けて緊締するホースバンド１８とにより、腕被覆部の袖口に気密に取付けられている。
【００１３】
化学防護服の着用に際しては、着脱用の開口を通して、先ず下半身を化学防護服の下半部に入れ、腰ベルトを締めて化学防護服の下半部を身体に固定し、次いで上半身に化学防護服の上半部をまとい、最後に気密スライドファスナーにより着脱用の開口を閉じてその着用を完了する。
【００１４】
前記実施例においては、透視窓２及び補助透視窓３を内外２枚の透明板で構成しているが、場合によっては１枚の透明板又はシートで構成してもよい。
【００１５】
【発明の効果】
▲１▼本発明によれば、その着用時に、常に十分に広い視野を持つ化学防護服が得られる。▲２▼身体の大きな人は勿論、比較的に身体の小さな人にとっても、だぶつきが少なく比較的に行動・作業のし易い化学防護服を得ることができる。
【図面の簡単な説明】
【図１】本発明に係る化学化学防護服の一実施例の正面図
【図２】図１の左側面図
【図３】図１の上面図
【図４】図１のＩＶーＩＶ線切断部端面図
【図５】図１のＶーＶ線切断部端面図
【図６】袖口と手袋の結合構造を示す要部切断説明図
【符号の説明】
１：化学防護服                        ２：透視窓、
３：補助透視窓                    ４：伸縮性バンド
５：伸縮性バンド                  ６：腰ベルト
７：手首締付けベルト              ８：膝当て
９：安全長靴                    １１：気密スライドファスナー
１２：排気弁                      １５：空気ボンベ収容部
１６：硬質リング                  １７：袖口
１８：ホースバンド
【図１】
0003689820.tif 000002
【図３】
0003689820.tif 000003
【図２】
0003689820.tif 000004
【図４】
0003689820.tif 000005
【図５】
0003689820.tif 000006
【図６】
0003689820.tif 000007